(57)【要約】【課題】  通信端末毎に最適な広告を表示させることが可能な、個人向けに特化した広告仲介システムを実現する。【解決手段】  広告仲介システムは、専用端末１と、端末サーバー２と、コンテンツサーバー群３と、広告仲介サーバー４とから構成される。専用端末１で所定のＵＲＬへのリンクがクリックされると、専用端末１はクリック情報を端末サーバー２に送信し、端末サーバー２はクリック情報２に含まれたＵＲＬ情報に基づいてコンテンツサーバー群３からコンテンツデータを取得する。一方、端末サーバー２は、クリック情報に含まれたＵＲＬ情報に基づいて広告データを広告仲介サーバー４から取得し、さらに専用端末１の位置情報などの情報に基づいて、これらに合致する広告データを広告仲介サーバー４から取得する。端末サーバー２は、取得した広告データからより個人向けに特化した広告を選択し、コンテンツデータとともに専用端末１へ送信する。【選択図】  図１
2008090597.tif 000002
【特許請求の範囲】
【請求項１】
ネットワーク接続機能を有する端末装置に広告データを表示させる広告仲介システムであって、
広告主から提供された広告データを記憶する広告データ記憶手段と、
前記端末装置およびユーザーの属性を示す属性情報を記憶する属性情報記憶手段と、
コンテンツデータが存在する前記ネットワーク上のアドレスを示す識別情報を前記端末装置から受信する受信手段と、
前記受信した識別情報から前記コンテンツデータを取得するコンテンツ取得手段と、
前記属性情報に基づいて前記広告データ記憶手段で記憶された広告データから前記端末装置へ表示させる広告データを選択する広告データ選択手段と、
前記コンテンツ取得手段で取得したコンテンツデータと広告データ選択手段で選択した広告データとを前記端末装置へ送信する送信手段と
を備えた広告仲介システム。
【請求項２】
前記端末装置は現在位置を示す位置情報を算出する位置情報算出手段をさらに備え、
少なくとも前記属性情報の一部は、前記位置情報算出手段で算出した位置情報であることを特徴とする請求項１に記載の広告仲介システム。
【請求項３】
前記端末装置が存在する現在の環境に関する環境情報を記憶する環境情報記憶手段をさらに備え、
前記広告データ選択手段は、前記属性情報及び前記環境情報のいずれかまたは双方に基づいて前記広告データ記憶手段で記憶された広告データから前記端末装置へ表示させる広告データを選択することを特徴とする請求項１又は請求項２に記載の広告仲介システム。
【請求項４】
前記コンテンツ取得手段で取得したコンテンツデータと広告データ選択手段で選択した広告データとから前記端末装置における画面表示に合わせた端末画面データを作成する端末画面データ作成手段をさらに備えたことを特徴とする請求項１から請求項３のいずれか１項に記載の広告仲介システム。
【請求項５】
前記端末装置で過去に行われた検索のキーワードまたは前記端末装置から過去に接続された前記ネットワーク上のアドレスから個人情報キーワードを抽出する個人情報キーワード抽出手段をさらに備え、少なくとも前記属性情報の一部が、前記個人情報キーワード抽出手段により得られたキーワードであることを特徴とする請求項１から請求項4のいずれか１項に記載の広告仲介システム。
【請求項６】
前記広告データ選択手段は、前記広告データ記憶手段で記憶された広告データから前記個人情報キーワードと合致した広告データを前記端末装置へ表示させる広告データとして優先的に選択することを特徴とする請求項５に記載の広告仲介システム。
【請求項７】
前記端末装置は、表示領域内において前記コンテンツデータを第一の画面に表示させ、前記広告データをポップアップとして第二の画面に表示させることを特徴とする請求項１から請求項6のいずれか１項に記載の広告仲介システム。
【請求項８】
ネットワーク接続機能を有する端末装置に広告データを表示させる広告仲介方法であって、
広告主から提供された広告データを記憶する広告データ記憶手順と、
前記端末装置およびユーザーの属性を示す属性情報を記憶する属性情報記憶手順と、
コンテンツデータが存在する前記ネットワーク上のアドレスを示す識別情報を前記端末装置から受信する受信手順と、
前記受信した識別情報から前記コンテンツデータを取得するコンテンツ取得手順と、
前記属性情報に基づいて前記広告データ記憶手順で記憶された広告データから前記端末装置へ表示させる広告データを選択する広告データ選択手順と、
前記コンテンツ取得手順で取得したコンテンツデータと広告データ選択手順で選択した広告データとを前記端末装置へ送信する送信手順と
を備えた広告仲介方法。
【請求項９】
前記コンテンツ取得手順で取得したコンテンツデータと広告データ選択手順で選択した広告データとから、前記端末装置の画面表示に合わせた端末画面データを作成する端末画面データ作成手順をさらに備えたことを特徴とする請求項８記載の広告仲介方法。
【請求項１０】
前記端末装置で過去に行われた検索のキーワードまたは前記端末装置から過去に接続された前記ネットワーク上のアドレスから個人情報キーワードを抽出する個人情報キーワード抽出手順をさらに備えたことを特徴とする請求項８及び請求項９記載の広告仲介方法。
【請求項１１】
広告仲介サーバーから広告データを取得し、ネットワーク接続機能を有する端末装置に広告データを表示させる端末サーバーであって、
前記端末装置およびユーザーの属性を示す属性情報を記憶する属性情報記憶手段と、
コンテンツデータが存在する前記ネットワーク上のアドレスを示す識別情報を前記端末装置から受信する受信手段と、
前記受信した識別情報から前記コンテンツデータを取得するコンテンツ取得手段と、
前記属性情報に基づいて前記広告仲介サーバーで記憶された広告データから前記端末装置へ表示させる広告データを選択する広告データ選択手段と、
前記コンテンツ取得手段で取得したコンテンツデータと広告データ選択手段で選択した広告データとを前記端末装置へ送信する送信手段と
を備えた端末サーバー。
【請求項１２】
前記コンテンツ取得手段で取得したコンテンツデータと広告データ選択手段で選択した広告データとから、前記端末装置の画面表示に合わせた端末画面データを作成する端末画面データ作成手段をさらに備えたことを特徴とする請求項１１記載の端末サーバー。
【請求項１３】
前記端末装置で過去に行われた検索のキーワードまたは前記端末装置から過去に接続された前記ネットワーク上のアドレスから個人情報キーワードを抽出する個人情報キーワード抽出手段をさらに備えたことを特徴とする請求項１１及び請求項１２記載の端末サーバー。
【発明の詳細な説明】
【技術分野】
【０００１】
本発明は、サイト上に広告を表示させる広告仲介システム、広告仲介方法及び広告仲介を行う端末サーバーに関する。
【背景技術】
【０００２】
従来、例えばインターネットを用いた広告仲介システムとして、サイトの運営者が広告仲介者と契約し、サイトに表示するコンテンツの種類に関連のある広告データを表示させるシステムが知られている。
【０００３】
図６は、従来の広告仲介システムの構成を示す構成図である。図６において、通信端末６１がインターネットに接続し、サイト運営者のページへのリンクがクリックされると、そのクリック情報が通信端末６１からサイト運営者サーバー６２へ送信される。
【０００４】
サイト運営者サーバー６２がクリック情報を受信すると、該クリック情報をコンテンツサーバー群６３へ送信し、ページ内に表示するコンテンツデータ（ニュースや趣味に関する情報など）を取得する。それとともに、サイト運営者サーバー６２はクリック情報を広告仲介サーバー６４に送信し、ページ内に表示する広告データを取得する。
【０００５】
ここで、広告仲介サーバー６４は、広告主から提供された広告データの中から、サイト運営者のページに表示される内容と関連性の高い広告データを選択し、サイト運営者サーバー６２へ送信する。サイト運営者サーバー６２は、上記取得したコンテンツデータ及び広告データを通信端末６１へ送信する。
【０００６】
通信端末６１の画面には、受信したコンテンツデータ及び広告データが表示される。広告データの表示箇所にはリンクが張られており、クリックされると広告仲介サーバー６４を介して、該広告データの提供元である広告主のサイトへと接続される。
【０００７】
通信端末６１で上記サイトのページを表示中に広告データの表示箇所がクリックされると、そのクリック情報が広告仲介サーバー６４へと送信される。サイト運営者は、管理するサイトのページに表示された広告データがクリックされた回数に応じて、広告仲介サーバー６４の管理者から収入を得ることができる。
【０００８】
なお、サイト運営者のページ上に広告を表示し、端末所持者のクリック操作により広告主のサイトへ誘導する従来の広告仲介システムに関する参考文献としては、例えば特許文献１が知られている。
【特許文献１】特開２００２−１８９９１９号公報
【発明の開示】
【発明が解決しようとする課題】
【０００９】
しかし、上記従来の広告仲介システムにおいては、広告仲介サーバー６４がサイト運営者のページの内容に基づいて広告データを選択するシステムであり、該サイト運営者のページにアクセスした通信端末には全て同じ広告データが表示されるため、広告効果が十分に得られないという課題があった。
本発明は上記事情を考慮してなされたもので、その目的は、通信端末毎に最適な広告を表示させることが可能な、個人向けに特化した広告仲介システムを実現することにある。
【課題を解決するための手段】
【００１０】
本発明は上記の課題を解決するためになされたもので、本発明に係る広告仲介システムは、ネットワーク接続機能を有する端末装置に広告データを表示させる広告仲介システムであって、広告主から提供された広告データを記憶する広告データ記憶手段と、前記端末装置およびユーザーの属性を示す属性情報を記憶する属性情報記憶手段と、コンテンツデータが存在する前記ネットワーク上のアドレスを示す識別情報を前記端末装置から受信する受信手段と、前記受信した識別情報から前記コンテンツデータを取得するコンテンツ取得手段と、前記属性情報に基づいて前記広告データ記憶手段で記憶された広告データから前記端末装置へ表示させる広告データを選択する広告データ選択手段と、前記コンテンツ取得手段で取得したコンテンツデータと広告データ選択手段で選択した広告データとを前記端末装置へ送信する送信手段とを備える。
【００１１】
また、本発明に係る広告仲介システムは、上記本発明において、前記端末装置は現在位置を示す位置情報を算出する位置情報算出手段をさらに備え、少なくとも前記属性情報の一部は、前記位置情報算出手段で算出した位置情報であることを特徴とする。
【００１２】
また、本発明に係る広告仲介システムは、上記本発明において、前記端末装置が存在する現在の環境に関する環境情報を記憶する環境情報記憶手段をさらに備え、前記広告データ選択手段は、前記属性情報及び前記環境情報のいずれかまたは双方に基づいて前記広告データ記憶手段で記憶された広告データから前記端末装置へ表示させる広告データを選択することを特徴とする。
【００１３】
また、本発明に係る広告仲介システムは、上記本発明において、前記コンテンツ取得手段で取得したコンテンツデータと広告データ選択手段で選択した広告データとから前記端末装置における画面表示に合わせた端末画面データを作成する端末画面データ作成手段をさらに備えたことを特徴とする。
【００１４】
また、本発明に係る広告仲介システムは、上記本発明において、前記端末装置で過去に行われた検索のキーワードまたは前記端末装置から過去に接続された前記ネットワーク上のアドレスから個人情報キーワードを抽出する個人情報キーワード抽出手段をさらに備え、少なくとも前記属性情報の一部が、前記個人情報キーワード抽出手段により得られたキーワードであることを特徴とする。
【００１５】
また、本発明に係る広告仲介システムは、上記本発明において、前記広告データ選択手段は、前記広告データ記憶手段で記憶された広告データから前記個人情報キーワードと合致した広告データを前記端末装置へ表示させる広告データとして優先的に選択することを特徴とする。
【００１６】
また、本発明に係る広告仲介システムは、上記本発明において、前記端末装置は、表示領域内において前記コンテンツデータを第一の画面に表示させ、前記広告データをポップアップとして第二の画面に表示させることを特徴とする。
【００１７】
また、本発明に係る広告仲介方法は、ネットワーク接続機能を有する端末装置に広告データを表示させる広告仲介方法であって、広告主から提供された広告データを記憶する広告データ記憶手順と、前記端末装置およびユーザーの属性を示す属性情報を記憶する属性情報記憶手順と、コンテンツデータが存在する前記ネットワーク上のアドレスを示す識別情報を前記端末装置から受信する受信手順と、前記受信した識別情報から前記コンテンツデータを取得するコンテンツ取得手順と、前記属性情報に基づいて前記広告データ記憶手順で記憶された広告データから前記端末装置へ表示させる広告データを選択する広告データ選択手順と、前記コンテンツ取得手順で取得したコンテンツデータと広告データ選択手順で選択した広告データとを前記端末装置へ送信する送信手順とを備える。
【００１８】
また、本発明に係る広告仲介方法は、上記本発明において、前記コンテンツ取得手順で取得したコンテンツデータと広告データ選択手順で選択した広告データとから、前記端末装置の画面表示に合わせた端末画面データを作成する端末画面データ作成手順をさらに備えたことを特徴とする。
【００１９】
また、本発明に係る広告仲介方法は、上記本発明において、前記端末装置で過去に行われた検索のキーワードまたは前記端末装置から過去に接続された前記ネットワーク上のアドレスから個人情報キーワードを抽出する個人情報キーワード抽出手順をさらに備えたことを特徴とする。
【００２０】
また、本発明に係る端末サーバーは、広告仲介サーバーから広告データを取得し、ネットワーク接続機能を有する端末装置に広告データを表示させる端末サーバーであって、前記端末装置およびユーザーの属性を示す属性情報を記憶する属性情報記憶手段と、コンテンツデータが存在する前記ネットワーク上のアドレスを示す識別情報を前記端末装置から受信する受信手段と、前記受信した識別情報から前記コンテンツデータを取得するコンテンツ取得手段と、前記属性情報に基づいて前記広告仲介サーバーで記憶された広告データから前記端末装置へ表示させる広告データを選択する広告データ選択手段と、前記コンテンツ取得手段で取得したコンテンツデータと広告データ選択手段で選択した広告データとを前記端末装置へ送信する送信手段とを備える。
【００２１】
また、本発明に係る端末サーバーは、上記本発明において、前記コンテンツ取得手段で取得したコンテンツデータと広告データ選択手段で選択した広告データとから、前記端末装置の画面表示に合わせた端末画面データを作成する端末画面データ作成手段をさらに備えたことを特徴とする。
【００２２】
また、本発明に係る端末サーバーは、上記本発明において、前記端末装置で過去に行われた検索のキーワードまたは前記端末装置から過去に接続された前記ネットワーク上のアドレスから個人情報キーワードを抽出する個人情報キーワード抽出手段をさらに備えたことを特徴とする。
【発明の効果】
【００２３】
本発明によれば、端末装置の位置情報およびユーザーの個人情報等の属性情報や、現在の環境情報に基づいて端末装置で表示される広告データが選択されるため、従来の広告仲介システムより個人向けに特化した広告仲介システムを構築することができる。
【００２４】
さらに、端末装置の画面表示に合わせた端末画面データを作成することで、端末装置の種類によらず、コンテンツデータ及び広告データを見やすく表示させることができる。
【発明を実施するための最良の形態】
【００２５】
以下、図面を参照して本発明の実施形態について説明する。
図１は、本発明の実施形態に係る広告仲介システムの構成を示す構成図である。図１において、本発明の広告仲介システムは、専用端末１（端末装置）と端末サーバー２とコンテンツサーバー群３と広告仲介サーバー４とから構成される。
【００２６】
専用端末１は、ＰＤＡ（Portable Digital Assistants）等の通信端末であり、端末サーバー２を介してインターネット等の外部ネットワークに接続するものである。また、専用端末１はＧＰＳ（Global Positioning System）衛星からの電波を受信し、緯度・経度で表される自端末の位置を算出する機能（位置情報算出手段）を備える。
【００２７】
端末サーバー２は、専用端末１と外部ネットワークとの間を中継するサーバーである。また、端末サーバー２は、専用端末１の属性に関する属性情報を記憶し（属性情報記憶手段）、専用端末１の画面で表示可能なように編集した上でコンテンツデータ及び広告データを専用端末１へ送信するものである。
【００２８】
コンテンツサーバー群３は、ニュースや趣味に関する情報等のコンテンツデータを保持するサーバー群であり、クリック情報で示されたコンテンツデータを端末サーバー２へ送信する。広告仲介サーバー４（広告データ記憶手段）は、複数の広告主から提供された複数の広告データを保持し、専用端末１の画面に表示させる広告データを端末サーバー２へ送信するものである。
【００２９】
次に、上述した実施形態の動作を図２から図５を参照して説明する。
図２は、図１に示した広告仲介システムにおけるデータの流れを示したシーケンス図である。
【００３０】
図２において、広告仲介サーバー４は、広告属性テーブル及び広告データを受信する（ステップＳ２０１）。図３は広告属性テーブルの一例を示す図であり、広告データとともに、広告データを提供した広告主、広告データのキーワード、広告データを表示対象とする位置、広告データを表示させるユーザーの性別（属性１）及び年齢（属性２）が含まれる。
【００３１】
図３において、例えば、広告主Aの広告データ（以下では広告Aと呼ぶ）は、安い中古車販売に関する広告であり、「車」がキーワードであり、千葉県にいる３０歳の男性が所持する専用端末に表示させる広告であることを示す。同様に、広告主Bの広告データ（以下では広告Bと呼ぶ）は、ペット販売に関する広告であり、「ゲーム」がキーワードであり、東京都にいる１８〜３０歳の女性が所持する専用端末に表示させる広告であることを示す。
【００３２】
続いて、所定のＵＲＬ（Uniform Resource Locator、識別情報）へのリンクがクリックされ専用端末１がそのＵＲＬで示されるサイトへの接続を開始すると、まず専用端末１は端末サーバー２へクリック情報を送信する（ステップＳ２０２）。ここで、クリック情報は、接続先のＵＲＬ情報のほか、専用端末１で算出したＧＰＳの位置情報、専用端末１のユーザーの個人情報、端末情報、ＩＤ・パスワード等を含むものである。
【００３３】
専用端末１からのクリック情報を受信すると（受信手段）、端末サーバー２はクリック情報に含まれるＵＲＬ情報を参照してコンテンツサーバー群３内のサーバーに接続し（ステップＳ２０３）、該サーバーからコンテンツデータを取得する（ステップＳ２０４、コンテンツ取得手段）。
【００３４】
端末サーバー２はクリック情報に含まれるＵＲＬ情報を広告仲介サーバー４に送信する（ステップＳ２０５）。広告仲介サーバー４は、端末サーバー２から受信したＵＲＬ情報からキーワードを抽出し、広告属性テーブルを参照して該キーワードに合致する広告データを選択し、端末サーバー２へ送信する（ステップＳ２０６）。
【００３５】
続いて、端末サーバー２は、クリック情報に含まれるＧＰＳの位置情報を広告仲介サーバー４に送信する（ステップＳ２０７）。広告仲介サーバー４は、広告属性テーブルを参照し、端末サーバー２から受信した位置情報に合致する広告データを選択し、端末サーバー２へ送信する（ステップＳ２０８）。
【００３６】
図２のフローチャートではステップＳ２０５及びＳ２０７にて端末サーバー２から広告仲介サーバー４へＵＲＬ情報及び位置情報を別々に送信したが、端末サーバー２からＵＲＬ情報と位置情報を同時に送信し、広告仲介サーバー４はＵＲＬ情報と位置情報の両方の条件に合致する広告データを端末サーバー２へ送信する形態としてもよい。
【００３７】
また、端末サーバー２が現在の時間や天気、気温等の環境情報を記憶し（環境情報記憶手段）、この環境情報をキーワードとして、例えば昼時にはランチの広告を出したい広告主の広告仲介サーバー４から広告データを取得してもよい。さらに、端末サーバー２が専用端末１のユーザーの個人情報（男性、３０歳、車好き、東京在住など）を記憶し、この個人情報をキーワードとして広告仲介サーバー４から広告データを取得してもよい。
【００３８】
端末サーバー２は、ステップＳ２０５〜Ｓ２０８にて広告仲介サーバー４から受信した広告データを広告情報テーブルに登録する。図４は、広告情報テーブルの一例を示す図である。図４において、端末サーバー２は、キーワード１（車）に合致した広告データとして広告Ａ及び広告Ｃを、キーワード２（ゲーム）に合致した広告データとして広告Ｂ及び広告Ｄを登録する。
【００３９】
さらに、位置情報キーワードに合致した広告データとして広告Ａを、環境情報キーワードに合致した広告データとして広告Ｅを、個人情報キーワードに合致した広告データとして広告Ｅ及び広告Ａを登録する。
【００４０】
なお、端末サーバー２が専用端末１の存在する環境情報を取得する方法として、環境情報が時間の場合、専用端末１に時計を設け、専用端末１がその情報を端末サーバー２に送ることもできる。また、日本国内では時差が存在しないため、端末サーバー２に備えた時計から環境情報の時間を得ることもできる。天気や気温は、専用端末１に温・湿度センサを設け、その出力を端末サーバー２に送って端末サーバー２で判定することもできるし、専用端末１の位置情報を端末サーバー２が取得している場合には、位置情報に基づき天気情報サービスと接続して情報を取得することもできる。
【００４１】
一方、ユーザーの個人情報を取得する方法としては、例えば、専用端末１から端末サーバー２に接続し、端末サーバー２内のデータを直接編集し個人情報キーワードとして保存することで行う。この他、専用端末１で過去に行われた検索のキーワードや過去にアクセスしたＵＲＬ情報から端末サーバーがキーワードを抽出し（個人情報キーワード抽出手段）、個人情報キーワードとして保存してもよい。
【００４２】
端末サーバー２は、広告情報テーブルに登録された広告データから専用端末１に表示させる広告データを選択し（広告データ選択手段）、ステップＳ２０２で受信した端末情報から専用端末１の画面サイズに関する情報を取得し、専用端末１における画面表示に合わせたデータ（以下では、端末画面データと呼ぶ）を作成する（ステップＳ２０９、端末画面データ作成手段）。広告データの選択においては、個人情報キーワードと合致したものを優先的に選択することで、専用端末１のユーザーの興味を持つ広告を表示させることが可能となる。
【００４３】
端末サーバー２は、作成した端末画面データ（コンテンツデータ及び広告データを含む）を専用端末１に送信し（ステップＳ２１０、送信手段）、専用端末１は受信した端末画面データを表示する。端末画面データは、専用端末１での画面表示に合わせて作成されたデータであるため、専用端末１の種類によらず、コンテンツデータ及び広告データを見やすく表示させることができる。
【００４４】
図５は、専用端末１の画面に表示されるコンテンツデータと広告データの位置関係を示した図である。図５（ａ）はコンテンツデータを表示させる領域の一部に広告データを表示させる場合の表示画面である。図５（ｂ）はコンテンツデータを表示させる領域と広告データを表示させる領域とを分離させる場合の表示画面である。
【００４５】
図５（ｃ）はコンテンツデータを表示させるページ内には広告データを表示させず、ポップアップとして別領域に広告データを表示させる場合の表示画面である。ポップアップの領域は、例えば、専用端末１でユーザーによる操作を一定時間入力しなかった場合に表示させる。このように、広告データをポップアップとして別画面に表示させることで、コンテンツデータおよび広告データの表示において専用端末１の画面サイズを有効に活用することができる。
【００４６】
なお、従来行われている方法でＵＲＬ情報のみから広告仲介サーバー４により選択された広告データと、本実施形態で説明した方法で端末サーバー２が選択した広告データとを端末サーバー２が専用端末１に送信し、専用端末１の画面上で別々の領域に表示させるようにしてもよい。
【００４７】
本実施形態では、端末サーバー２がＵＲＬ情報だけでなく個人情報等に基づいて広告を選択し専用端末１の画面に表示させるため、複数の専用端末から同じサイトを表示する場合であっても各専用端末のユーザーに適した広告がそれぞれの専用端末に表示される。さらに、同一の専用端末で同一のサイトを表示する場合であっても、位置情報や時間、天気等の環境情報に基づいて最適な広告が表示される。このように、端末サーバー２が個人情報や位置情報、環境情報等に基づいて広告を選択し専用端末１に表示させることで、個人向けに特化した広告仲介システムを実現できる。
【００４８】
以上、本発明の実施形態を詳述してきたが、具体的な構成は本実施形態に限られるものではなく、本発明の要旨を逸脱しない範囲の設計変更等も含まれる。例えば、本発明の端末サーバーは、複数の専用端末と接続し、複数の専用端末の情報を管理するものであってもよいし、一の専用端末と接続し、一の専用端末の情報のみを管理するものであってもよい。また、専用端末に端末サーバーの機能を組み込み一体化してもよい。
【００４９】
さらにまた、端末サーバーが複数の専用端末と接続される場合には、位置情報とその時に専用端末で行われた検索結果をデータベース化することでマーケティングやユーザーの動向調査に利用することもできる。
【産業上の利用可能性】
【００５０】
本発明は、サイト上に個人向けに特化した広告を表示させる広告仲介システムに用いて好適である。
【図面の簡単な説明】
【００５１】
【図１】本発明の実施形態に係る広告仲介システムの構成を示す構成図である。
【図２】図１に示した広告仲介システムにおけるデータの流れを示したシーケンス図である。
【図３】広告属性テーブルの一例を示す図である。
【図４】広告情報テーブルの一例を示す図である。
【図５】図１の専用端末１の表示画面を示す図である。
【図６】従来の広告仲介システムの構成を示す構成図である。
【符号の説明】
【００５２】
１…専用端末、２…端末サーバー、３…コンテンツサーバー群、４…広告仲介サーバー、６１…通信端末、６２…サイト運営者サーバー、６３…コンテンツサーバー群、６４…広告仲介サーバー。
【図１】
2008090597.tif 000003
【図２】
2008090597.tif 000004
【図３】
2008090597.tif 000005
【図４】
2008090597.tif 000006
【図５】
2008090597.tif 000007
【図６】
2008090597.tif 000008